(57)【要約】【課題】仕様の変更を容易化し、筐体と装飾体の間に隙間の発生するのを防いで見栄えの悪化するおそれを低減し、しかも、例え長期使用しても外観や色調が変化してしまうおそれの少ない安価な装飾体及びその製造方法を提供する。【解決手段】装飾体１０を、シリコーンゴム加工物１１と、シリコーンゴム加工物１１に組み合わされる着色シルバー層１２と、着色シルバー層１２に接着されるキャリア層１３と、キャリア層１３に粘着される固定用の両面テープ１４と、両面テープ１４に剥離可能に粘着される任意の離型層とから構成し、シリコーンゴム加工物１１を、シリコーンゴムに着色剤を０．０００５〜４重量部添加して半透明に加工する。そして、装飾体１０を携帯電話等の筐体の螺子穴に必要数密嵌することにより、螺子を被覆してデザイン性や体裁を整えたり、高級感や上級感を醸し出すメタリック調の光沢を表現する。【選択図】図２
2008284878.tif 000002
【特許請求の範囲】
【請求項１】
シリコーンゴム加工物と、このシリコーンゴム加工物に組み合わされる全光線透過率が５％未満の着色シルバー層とを備え、電子機器の筐体に設けられる装飾体であって、
シリコーンゴム加工物は、シリコーンゴムに着色剤が０．０００５〜４重量部添加して半透明に加工されたものであることを特徴とする装飾体。
【請求項２】
着色シルバー層に接着されるキャリア層を含んでなる請求項１記載の装飾体。
【請求項３】
着色シルバー層とキャリア層のいずれかに粘着される両面粘着層を含んでなる請求項２記載の装飾体。
【請求項４】
請求項１、２、又は３記載の装飾体の製造方法であって、シリコーンゴム、加硫剤、及び着色剤に、基体フレークに金属酸化物を被覆した無機系顔料を０．０００５〜４重量部添加して配合物を形成し、この配合物を加硫成形して着色シルバー層を接着し、その後、これらの成形品と着色シルバー層とを所定の形に加工することを特徴とする装飾体の製造方法。
【発明の詳細な説明】
【技術分野】
【０００１】
本発明は、携帯電話、ＰＤＡ、ゲーム機、デジタルカメラ等に設けられる装飾体及びその製造方法に関するものである。
【背景技術】
【０００２】
図１５や図１６に示す折り畳み可能な携帯電話１、図１７に示す折り畳み可能なゲーム機２、図１８のデジタルカメラ３は、樹脂に代表される各種の材料を使用して筐体４が構成されたり、プリント基板等の様々な部材が内蔵されているが、筐体４同様、重要な部材の一つとして装飾体１０があげられる。
【０００３】
この種の装飾体１０は、例えば樹脂やウレタン系エラストマーを使用して所定の形に形成されるとともに、折り畳み可能な携帯電話１、ゲーム機２、デジタルカメラ３の外観と違和感を生じないよう着色され、携帯電話１の筐体４の螺子穴５、ゲーム機２の筐体４、デジタルカメラ３の筐体４の螺子穴５に装着されることにより、組立用の螺子を被覆してデザイン性や体裁を整えたり、クッションとして折り畳み時の衝突音の発生を防止する（特許文献１、２参照）。
【特許文献１】特開２００６‐７３５９９号公報
【特許文献２】特開２００２‐３４９５３２号公報
【発明の開示】
【発明が解決しようとする課題】
【０００４】
従来における装飾体１０は、以上のように樹脂やウレタン系エラストマーを使用して形成されるので、以下に示す問題がある。
先ず、装飾体１０が樹脂製の場合には、携帯電話１等の機種変更の度に専用の金型を新たに製作しなければならないので、コストの増大を招くという問題がある。また、表面にエンボス加工の要求されることがあるが、その際、離型性に影響を及ぼすので、デザイン通りに自由に施すことが困難であり、コスト高を招く他、仕様変更も容易ではないという問題がある。
【０００５】
また、装飾体１０が可撓性や弾性を有するウレタン系エラストマー製の場合には、筐体４の螺子穴５に隙間なく密嵌して見栄えを向上させることができるが、装飾体１０が可撓性や弾性を有しない樹脂製の場合には、ある程度のクリアランスを確保できるよう設計する必要がある。したがって、筐体４の螺子穴５に装飾体１０を嵌入すると、螺子穴５と装飾体１０との間に隙間の生じることがあり、デザイン性や見栄えの悪化するおそれがある。
【０００６】
さらに、装飾体１０がウレタン系エラストマー製の場合には、耐久性に優れるものの、耐薬品性や耐光性に欠けるので、コーヒーや油、アルコール等の存在する場所における携帯電話１等の使用、携帯電話１等の長期に亘る使用により、外観や色調が変化して美観を損ねてしまうおそれがある。
【０００７】
本発明は上記に鑑みなされたもので、仕様の変更を容易化し、筐体と装飾体の間に隙間の発生するのを防いで見栄えの悪化するおそれを低減し、しかも、例え長期使用しても外観や色調が変化してしまうおそれの少ない安価な装飾体及びその製造方法を提供することを目的としている。
【課題を解決するための手段】
【０００８】
本発明においては上記課題を解決するため、シリコーンゴム加工物と、このシリコーンゴム加工物に組み合わされる全光線透過率が５％未満の着色シルバー層とを備え、電子機器の筐体に設けられるものであって、
シリコーンゴム加工物は、シリコーンゴムに着色剤が０．０００５〜４重量部添加して半透明に加工されたものであることを特徴としている。
【０００９】
なお、着色シルバー層に接着されるキャリア層を含むことができる。
また、着色シルバー層とキャリア層のいずれかに粘着される両面粘着層を含むことができる。
【００１０】
また、本発明においては上記課題を解決するため、請求項１、２、又は３記載の装飾体の製造方法であって、
シリコーンゴム、加硫剤、及び着色剤に、基体フレークに金属酸化物を被覆した無機系顔料を０．０００５〜４重量部添加して配合物を形成し、この配合物を加硫成形して着色シルバー層を接着し、その後、これらの成形品と着色シルバー層とを所定の形に加工することを特徴としている。
【００１１】
ここで、特許請求の範囲におけるシリコーンゴム加工物は、必要に応じ、平面円形、楕円形、矩形、多角形、Ｃ字形、Ｉ字形、Ｌ字形、Ｕ字形、各種記号等の所定の形状に形成することができる。電子機器には、少なくとも携帯電話に代表される携帯情報端末、ＰＤＡ、ゲーム機、デジタルカメラ等が含まれる。さらに、キャリア層は、単数複数を特に問うものではない。
【発明の効果】
【００１２】
本発明によれば、仕様の変更を容易化し、筐体と装飾体の間に隙間の発生するのを防いで見栄えの悪化するおそれを低減することができるという効果がある。また、例え長期間使用しても、外観や色調が変化してしまうおそれの少ない安価な装飾体を提供することができるという効果がある。また、半透明のシリコーンゴム加工物と着色シルバー層との組み合わせにより、多重反射を利用することができるので、加飾用の色彩の他、経時的変化の少ないメタリック調の光沢表現を再現して優れた意匠性、魅力的なデザイン性、ファッション性、重厚感等を得ることができる。
【００１３】
また、着色シルバー層に接着されるキャリア層を備えれば、このキャリア層の材質や厚さ、枚数等を変更することにより、装飾体に必要な剛性を付与することができる。
さらに、着色シルバー層とキャリア層のいずれかに粘着される両面粘着層を備えれば、電子機器の筐体に装飾体を簡単に取り付けることができ、しかも、装飾体の脱落を簡易な構成で防ぐことが可能になる。
【発明を実施するための最良の形態】
【００１４】
以下、図面を参照して本発明の好ましい実施の形態を説明すると、本実施形態における装飾体１０は、図１ないし図７等に示すように、肌触りの良い半透明のシリコーンゴム加工物１１と、このシリコーンゴム加工物１１に組み合わされる薄い着色シルバー層１２と、この着色シルバー層１２に接着される薄いキャリア層１３と、このキャリア層１３に粘着される固定用の薄い両面テープ１４と、この両面テープ１４に剥離可能に粘着される任意の離型層１５とを備え、小型の電子機器である携帯電話１等の筐体４に外側から設けられ、筐体４の組立用の螺子穴５に必要数が密嵌されることにより、螺子を被覆してデザイン性や体裁を整えたり、高級感や上級感を醸し出すメタリック調の光沢を表現する。
【００１５】
シリコーンゴム加工物１１は、図１ないし図３、図６等に示すように、例えば可撓性や弾性を有するシリコーンゴムに着色剤が添加されることにより、隅部が面取りされた平面略三角形や平面略四角形等に形成され、２０Ｈｓ〜８５Ｈｓ、好ましくは８０Ｈｓ±５Ｈｓの硬度を有している。シリコーンゴムとしては、例えば耐熱性、耐寒性、耐薬品性、耐光性、耐候性、圧縮永久歪特性、エンボス特性等に優れるシリコーン系のエラストマーがあげられる。
【００１６】
シリコーンゴム加工物１１の硬度は２０Ｈｓ〜８５Ｈｓの範囲であるが、これは、２０Ｈｓ未満の場合には、製品が殆ど存在しないので入手が困難となり、逆に８５Ｈｓを超える場合には、打ち抜き等の製造に支障を来たし、しかも、裂け易くなるからである。
【００１７】
着色剤は、例えば各種の有彩色（赤、青、黄色等）、無彩色（黒等）の染料や顔料からなり、０．０００５〜４重量部添加される。この着色剤が０．０００５〜４重量部添加されるのは、着色剤の添加量が０．０００５重量部未満の場合には、シリコーンゴム加工物１１の着色を確認することができないからである。逆に、着色剤の添加量が４重量部を超える場合には、シリコーンゴム加工物１１の透明性が失われ、着色シルバー層１２の反射機能を発揮するシルバーの表面を確認することができなくなるからである。
【００１８】
着色シルバー層１２は、例えば光線透過率の低い薄いＰＥＴフィルム等からなる樹脂フィルムの表面にアルミ箔が積層して一体化されたり、ＰＥＴフィルムの表面に真空蒸着法等によりアルミ等の金属を数百〜数千オングストロームの厚さで蒸着等することにより形成され、全光線透過率が５％未満とされる。この着色シルバー層１２の全光線透過率が５％未満なのは、全光線透過率が５％を超える場合には、メタリック調の光沢を得るために必要な多重反射効果の低下を招くからである。
【００１９】
キャリア層１３としては、図２等に示すように、例えばクリアーの薄いＰＥＴフィルムがあげられ、装飾体１０の剛性を確保するよう機能する。また、両面テープ１４としては、図３等に示すように、例えば白色半透明の薄いアクリル系テープがあげられ、筐体４の螺子穴５に螺挿された螺子の頭部に粘着するよう機能する。また、離型層１５としては、図４や図５等に示すように、例えばクリアーの薄いＰＥＴフィルムがあげられ、製造時の台紙として活用される。
【００２０】
上記において、装飾体１０を製造する場合には、先ず、シリコーンゴムに加硫剤と着色剤０．０００５〜４重量部とを添加してシリコーンゴム加工物１１となる一応のシート１６を形成し、このシート１６を所定の大きさに裁断し、このシート１６を熱プレスして加硫する。
【００２１】
こうしてシート１６を熱プレスして加硫したら、二次加硫して完全なシート１６を成形し、このシート１６上に、着色シルバー層１２を接着剤により接着してこの着色シルバー層１２上にはキャリア層１３と両面テープ１４とを順次積層接着し、その後、これらシート１６、着色シルバー層１２、キャリア層１３、及び両面テープ１４の積層体１７をパンチ等により所定の形状・大きさに加工すれば、複数の装飾体１０を製造することができる。
複数の装飾体１０を製造したら、この複数の装飾体１０を離型層１５上に所定のパターンで並べることにより、搬送したり、出荷することができる。
【００２２】
上記構成によれば、装飾体１０が樹脂製ではないので、携帯電話１等の機種変更の度に専用の高価な金型を新たに製作する必要がない。したがって、コストの増大を招くことがなく、仕様変更も容易である。また、装飾体１０が可撓性や弾性を有するシリコーン系エラストマー製なので、エンボス加工が容易になる他、筐体４の螺子穴５と装飾体１０との間に隙間の生じることがなく、デザイン性や見栄えの悪化するおそれがない。
【００２３】
また、装飾体１０がウレタン系エラストマーではなく、耐薬品性、耐光性、耐候性、圧縮永久歪特性等に優れるシリコーン系エラストマー製なので、コーヒーや油、アルコール等の存在する場所における携帯電話１等の使用、携帯電話１等の長期に亘る使用により、外観や色調が変化して美観を損ねてしまうおそれもない。
【００２４】
また、本実施形態によれば、経時的変化の少ないメタリック調の光沢表現を再現して優れた意匠性やデザイン性を得ることができる。この点について詳説すると、メタリック調に印刷されたフィルムとウレタン系エラストマーとを積層等する場合には、経時的変化が大きいので、長期に亘りメタリック調の光沢表現を再現することが困難化するおそれがある。
【００２５】
これに対し、本実施形態によれば、半透明のシリコーンゴム加工物１１と着色シルバー層１２との組み合わせにより、多重反射を利用することができるので、加飾用の単純な色彩のみならず、経時的変化の少ないメタリック調の光沢表現を容易に再現してきわめて優れた意匠性、魅力的なデザイン性、ファッション性、重厚感等を得ることができる。さらに、樹脂製の装飾体１０ではなく、弾性のシリコーンゴム加工物１１を使用するので、携帯電話１等の落下時に筐体４に作用する衝撃をある程度減衰、吸収、緩和することができる。これにより、携帯電話１等の損傷防止が期待できる。
【００２６】
次に、図８ないし図１４は本発明の第２の実施形態を示すもので、この場合には、成形したシート１６上に、着色シルバー層１２を接着してこの着色シルバー層１２上にはキャリア層１３と両面テープ１４とを順次積層接着（図８参照）し、これらシート１６、着色シルバー層１２、キャリア層１３、及び両面テープ１４の積層体１７を複数枚に分割（図９参照）して各積層体１７に装飾体１０形成用の抜き加工（図９参照）を施し、各積層体１７からシート１６等の余分な部分をバリ取り（図１０参照）して複数枚の積層片１８に分割（図１１参照）するとともに、各積層片１８に形成された複数の装飾体１０を治具１９上に転写（図１２参照）し、その後、複数の装飾体１０を治具１９上から離型層１５に複数の位置決めピン２０を介し転写（図１３参照）して貼り替えるようにしている（図１４参照）。その他の部分については、上記実施形態と同様であるので説明を省略する。
【００２７】
本実施形態においても上記実施形態と同様の作用効果が期待でき、しかも、装飾体１０が略平坦でＲ形状がない場合に容易、かつ大量に製造することができるのは明らかである。また、装飾体１０の製造方法の多様化が期待できる。
【００２８】
なお、本発明に係る装飾体１０は上記実施形態に何ら限定されるものではない。例えば上記実施形態では着色シルバー層１２の裏面にキャリア層１３、両面テープ１４、離型層１５を必要枚数粘着したが、これらキャリア層１３、両面テープ１４、離型層１５は、必要に応じ、省略しても良い。
【００２９】
また、キャリア層１３にコロナ処理やフレーム処理等の表面処理技術を施して両面テープ１４との粘着度を向上させても良い。また、特に支障を来たさなければ、キャリア層１３ではなく、着色シルバー層１２に両面テープ１４を直接粘着しても良い。さらに、装飾体１０を螺子隠しではなく、クッションとして利用し、筐体４の折り畳み時における衝突音の発生を防止することもできる。
【実施例】
【００３０】
以下、本発明に係る装飾体及びその製造方法の実施例を比較例と共に説明する。
実施例１
先ず、硬度５０Ｈｓのシリコーンゴム１００重量部に加硫剤２重量部と着色剤０．００５重量部とをそれぞれ添加して一応のシートを圧延形成し、このシートを所定の大きさに裁断し、このシートを１７５℃、１０分の条件で熱プレスして加硫した。
【００３１】
シリコーンゴムとしては、ＫＥ‐５５１Ｕ（信越化学工業製  商品名）を使用し、加硫剤としては、Ｃ‐８（信越化学工業製  商品名）を使用した。また、着色剤としては、ＫＥ−ＣｏｌｏｒＭＢ（信越化学工業製  商品名）を使用した。
【００３２】
シートを熱プレスして加硫したら、２００℃、６０分の条件で二次加硫して完全なシートを成形し、このシート上に、アルミ金箔を備えた着色シルバー層をシリコーン系の接着剤により接着してこの着色シルバー層上には両面テープを積層接着し、その後、これらシート、着色シルバー層、及び両面テープからなる積層体をφ３．５ｍｍのパンチにより打ち抜き加工して装飾体を製造した。
【００３３】
着色シルバー層としては、アルミ箔と貼り合わせで０．１ｔのＰＥＴフィルム（パナック製  商品名アルペット）を用い、両面テープとしては、ＮＩＴＴＯ  Ｎｏ．５１２（日東電工製  商品名）を利用した。
【００３４】
実施例２
硬度５０Ｈｓではなく、硬度８０ＨｓのシリコーンゴムＫＥ‐５８１Ｕ（信越化学工業製  商品名）１００重量部を使用し、その他は実施例１と同様とした。
実施例３
着色シルバー層として、０．１ｔのアルミ蒸着ＰＥＴフィルム（東レ製  商品名メタルミー）を用い、その他は実施例１と同様とした。
【００３５】
実施例４
色彩に深みを出すため、実施例１で積層した半透明の着色シートの表面に、着色されていない透明なシリコーンゴム  ＫＥ‐５５１Ｕ（信越化学工業製  商品名）をさらに貼着し、その他は実施例１と同様とした。
【００３６】
比較例１
着色剤０．００５重量部ではなく、着色剤１０重量部添加し、その他は実施例１と同様とした。
【００３７】
比較例２
実施例１と同様にシートを成形し、このシート上に着色シルバー層を接着することなく、両面テープを直接接着した後、これらの積層体をφ３．５ｍｍのパンチにより打ち抜き加工して装飾体を製造した。
【００３８】
実施例と比較例の装飾体をそれぞれ製造したら、これらに関するメタリック調の意匠度、耐薬品性、耐光性、落下衝撃吸収性、製品コスト、寸法吸収性を精査して表１にまとめた。
【００３９】
【表１】
2008284878.tif 000003
【００４０】
表１から明らかなように、実施例の装飾体によれば、優れたメタリック調の意匠度、耐薬品性、耐光性、落下衝撃吸収性、製品コスト、寸法吸収性を得ることができた。
これに対し、比較例の装飾体によれば、優れた耐薬品性、耐光性、落下衝撃吸収性、製品コスト、寸法吸収性を得ることができたものの、メタリック調の意匠度が低く、高級感や上級感を醸し出すことができず、魅力的なデザイン性、ファッション性、重厚感等を得ることができなかった。
【図面の簡単な説明】
【００４１】
【図１】本発明に係る装飾体の実施形態を模式的に示す平面説明図である。
【図２】本発明に係る装飾体の実施形態を模式的に示す側面説明図である。
【図３】本発明に係る装飾体の実施形態を模式的に示す裏面説明図である。
【図４】本発明に係る装飾体の実施形態における装飾体と離型層との関係を模式的に示す平面説明図である。
【図５】図４の側面説明図である。
【図６】本発明に係る装飾体の実施形態における変形例を模式的に示す平面説明図である。
【図７】図６の側面説明図である。
【図８】本発明に係る装飾体及びその製造方法の他の実施形態におけるシートに、着色シルバー層を接着してこの着色シルバー層上にはキャリア層と両面テープとを順次接着する状態を模式的に示す斜視説明図である。
【図９】本発明に係る装飾体及びその製造方法の他の実施形態におけるシート、着色シルバー層、キャリア層、及び両面テープの積層体を複数枚に分割して各積層体に抜き加工を施す状態を模式的に示す斜視説明図である。
【図１０】本発明に係る装飾体及びその製造方法の他の実施形態における積層体から余分な部分をバリ取りする状態を模式的に示す斜視説明図である。
【図１１】本発明に係る装飾体及びその製造方法の他の実施形態における積層体を複数枚の積層片に分割する状態を模式的に示す斜視説明図である。
【図１２】本発明に係る装飾体及びその製造方法の他の実施形態における積層片の複数の装飾体を治具上に転写する状態を模式的に示す斜視説明図である。
【図１３】本発明に係る装飾体及びその製造方法の他の実施形態における複数の装飾体を治具から離型層に転写する状態を模式的に示す斜視説明図である。
【図１４】図１３の複数の装飾体を離型層に貼り替えた状態を模式的に示す斜視説明図である。
【図１５】携帯電話を模式的に示す斜視図である。
【図１６】図１５の背面斜視図である。
【図１７】ゲーム機を模式的に示す斜視図である。
【図１８】デジタルカメラを模式的に示す背面斜視図である。
【符号の説明】
【００４２】
１        携帯電話
２        ゲーム機
３        デジタルカメラ
４        筐体
５        螺子穴
１０      装飾体
１１      シリコーンゴム加工物
１２      着色シルバー層
１３      キャリア層
１４      両面テープ（両面粘着層）
１５      離型層
１６      シート
１７      積層体
１８      積層片
【図１】
2008284878.tif 000004
【図２】
2008284878.tif 000005
【図３】
2008284878.tif 000006
【図４】
2008284878.tif 000007
【図５】
2008284878.tif 000008
【図６】
2008284878.tif 000009
【図７】
2008284878.tif 000010
【図８】
2008284878.tif 000011
【図９】
2008284878.tif 000012
【図１０】
2008284878.tif 000013
【図１１】
2008284878.tif 000014
【図１２】
2008284878.tif 000015
【図１３】
2008284878.tif 000016
【図１４】
2008284878.tif 000017
【図１５】
2008284878.tif 000018
【図１６】
2008284878.tif 000019
【図１７】
2008284878.tif 000020
【図１８】
2008284878.tif 000021